(57)【要約】【課題】各種商品や商品を包装する容器に貼着して使用する多量の商品情報を表        示可能な冊子形状ラベルの製造方法を提供する。【解決手段】長巻状の一条のシート１を巻き出し送行して印刷ユニット２３、第１接着剤塗布手段２５、第１二つ折り手段２６と押圧対向する１対のニップロール２７と、スリット手段３０と、第２二つ折り手段３４と押圧対向する１対のニップロール３５とに導入して長巻状冊子状ラベル部Ａを形成し、長巻状ラベルシート部Ｂを巻き出し送行して第２接着剤塗布手段４１に導入して第２接着剤層４、５を形成し、長巻状冊子状ラベル部Ａと長巻状ラベルシート部Ｂを貼り合わせ手段３６に導入して第２接着剤層４、５を介して貼り合わせ、ロータリーカッター手段３７に導入して、長巻状ラベルシート状部Ｂの長尺状セパレータ８面に型抜き配列された冊子状ラベルＲを形成する。【選択図】図１
2005280115.tif 000002
【特許請求の範囲】
【請求項１】
（ａ）長巻状の一条のシートを巻き出し送行してそれぞれ印刷ユニットに導入し、該シートの片面又は両面に適宜にラベル表示用の印刷を施すシート印刷工程と、
（ｂ）該シートを第１接着剤塗布手段に導入し、該シートをその幅方向一端部に僅かな幅の貼着用延設端部を残して略４等分する送行方向に沿う３本の折目のうち一端部側の１本の折目に沿う僅かな幅領域に、シート送行方向に沿って第１接着剤層を塗布形成する第１接着剤塗布工程と、
（ｃ）該シートを第１二つ折り手段と押圧対向する１対のニップロール間とに導入し、幅方向に該シートを略４等分する送行方向に沿う３本の折目のうち中央部の１本の折目に相当する二つ折目に沿って該シートを二つ折りし、その二つ折りした一方の第１シートに、その外端側に単一枚の前記貼着用延設端部が残るように他方の第２シートを折り重ね、前記第１、第２シートの内面を、前記第１接着剤層にて貼り合わせて、貼り合わせシートを形成する貼り合わせシート形成工程と、
（ｄ）該貼り合わせシートをスリット手段に導入し、前記二つ折目相当部より僅か内側の該シート送行方向のスリットラインに沿ってスリットして二つ折目の外側相当部をカッティング除去するスリット工程と、
（ｅ）該貼り合わせシートを第２二つ折り手段と押圧対向する１対のニップロール間とに導入し、前記第１接着剤層に沿う二つ折目相当部に沿って二つ折りして長巻状の長巻状冊子状ラベル部を形成する長巻状冊子状ラベル部形成工程と、
（ｆ）ラベル基材、粘着剤層、セパレータからなる長巻状ラベルシート部を巻き出し送行して第２接着剤塗布手段に導入し、前記長巻状冊子状ラベル部の前記第１接着剤層に沿う二つ折目相当部と貼着用延設端部とに重なる前記長巻状ラベルシート部のラベル基材面の幅方向両端部にシート送行方向に沿って各々第２接着剤層を塗布形成する第２接着剤塗布工程と、
（ｇ）前記長巻状冊子状ラベル部と前記第２接着剤層を形成した長巻状ラベルシート部とを送行させながら重ね合わせて貼り合わせ手段に導入し、長巻状冊子状ラベル部の前記第１接着剤層に沿う二つ折目相当部と前記貼着用延設端部とを、長巻状ラベルシート部のラベル基材面に、前記第２接着剤層にて貼り合わせる長巻状冊子状ラベル部貼り合わせ工程と、
（ｈ）貼り合わされた長巻状冊子状ラベル部と長巻状ラベルシート部を型抜き手段に導入して、長巻状ラベルシート部の幅方向両側のセパレータを残してラベル基材と粘着剤層とを送行方向に沿ってラベル形状に型抜きカッティングし、且つ送行方向と直交する送行前後方向に沿って長巻状冊子状ラベル部と長巻状ラベルシート部のラベル基材、粘着剤層を、型抜きカッティングするラベル型抜きカッティング工程と、
（ｉ）型抜きカッティングされた長巻状冊子状ラベル部と長巻状ラベルシート部とを剥離ロールに導入し、型抜きカッティングされた余白の長巻状冊子状ラベル部と長巻状ラベルシート部の余白のラベル基材、粘着剤層とを剥離巻取手段にて巻き取りながら長尺状セパレータ面から剥離して長尺状セパレータ面に型抜き配列された冊子状ラベルを形成するカッティング余白剥離工程と、
（ｊ）前記長尺状セパレータを型抜き配列された冊子状ラベルととともに巻取手段にて巻き取る巻取工程
とを含むことを特徴とする冊子状ラベルの製造方法。
【請求項２】
（ａ）長巻状の一条のシートを巻き出し送行してそれぞれ印刷ユニットに導入し、該シートの片面又は両面に適宜にラベル表示用の印刷を施すシート印刷工程と、
（ｂ）該シートをスリット手段に導入し、該シートの幅方向一端部に僅かな幅の貼着用延設端部を残して略２等分する送行方向に沿う２等分線に相当するスリットラインに沿ってスリットして、２条の第１シートと第２シートに分割する分割スリット工程と、
（ｃ）該２条の第１、第２シートのうち一方の第１シートを第１接着剤塗布手段に導入し
、該第１シートを前記貼着用延設端部を残して、略２等分する送行方向に沿う折目に沿って第１接着剤層を塗布形成する第１接着剤塗布工程と、
（ｄ）該２条の第１、第２シートのうち他方の第２シートをシート送行変換用ターンバー手段に導入し、前記一方の第１シート上に他方の第２シートを前記スリットライン相当部を整合させて重ね合わされるようにシート送行を変換させる分割シート送行変換整合工程と、
（ｅ）前記第１シート上に他方の第２シートを整合させて重ね合わされるようにシート送行を変換させた前記第１シート１ａ、第２シート１ｂを貼り合わせ手段２７に導入して重ね合わせ、前記第１接着剤層３にて貼り合わせて、貼り合わせシート２８を形成する貼り合わせシート形成工程と、
（ｆ）該貼り合わせシートを二つ折り手段と押圧対向する１対のニップロール間とに導入し、前記第１接着剤層に沿う二つ折目相当部に沿って二つ折りして長巻状の長巻状冊子状ラベル部を形成する長巻状冊子状ラベル部形成工程と、
（ｇ）ラベル基材、粘着剤層、セパレータからなる長巻状ラベルシート部を巻き出し送行して第２接着剤塗布手段に導入し、前記長巻状冊子状ラベル部の前記第１接着剤層に沿う二つ折目相当部と貼着用延設端部とに重なる前記長巻状ラベルシート部のラベル基材面の幅方向両端部にシート送行方向に沿って各々第２接着剤層を塗布形成する第２接着剤塗布工程と、
（ｈ）前記長巻状冊子状ラベル部と前記第２接着剤層を形成した長巻状ラベルシート部とを送行させながら重ね合わせて貼り合わせ手段に導入し、長巻状冊子状ラベル部の前記第１接着剤層に沿う二つ折目相当部と前記貼着用延設端部とを、長巻状ラベルシート部のラベル基材面に、前記第２接着剤層にて貼り合わせる長巻状冊子状ラベル部貼り合わせ工程と、
（ｉ）貼り合わされた長巻状冊子状ラベル部と長巻状ラベルシート部を型抜き手段に導入して、長巻状ラベルシート部の幅方向両側のセパレータを残してラベル基材と粘着剤層とを送行方向に沿ってラベル形状に型抜きカッティングし、且つ送行方向と直交する送行前後方向に沿って長巻状冊子状ラベル部と長巻状ラベルシート部のラベル基材、粘着剤層を型抜きカッティングするラベル型抜きカッティング工程と、
（ｊ）型抜きカッティングされた長巻状冊子状ラベル部と長巻状ラベルシート部とを剥離ロールに導入し、型抜きカッティングされた余白の長巻状冊子状ラベル部と長巻状ラベルシート部の余白のラベル基材、粘着剤層とを剥離巻取手段にて巻き取りながら長尺状セパレータ面から剥離して長尺状セパレータ面に型抜き配列された冊子状ラベルを形成するカッティング余白剥離工程と、
（ｋ）前記長尺状セパレータを型抜き配列された冊子状ラベルととともに巻取手段にて巻き取る巻取工程
とを含むことを特徴とする冊子状ラベルの製造方法。
【発明の詳細な説明】
【技術分野】
【０００１】
本発明は、各種商品や商品を包装する容器に貼着して使用する多量の商品情報を表示可能な冊子状ラベルの製造方法に関する。
【背景技術】
【０００２】
各種商品や商品を包装する容器に貼着して使用する多量の商品情報を表示可能な従来のラベルとしては、図８（ａ）に示すように、１枚のシート１１を折目を介して巻き折り状など適宜形状に折り畳んで形成された折畳状部Ａと、該折畳状部Ａの一端部の下面を貼着し、粘着剤層を備えたラベルシート部Ｂとにより形成されている。
【０００３】
そして、折畳状部Ａの折り畳まれたシート１１の一端部１１ａ側を内側に、他端部１１ｂ側を外側にして折り畳んだ構造であり、その他端部１１ｂ側の延設シート１１ｃをラベルシート部Ｂの上面に貼着、又は剥離、再接着可能に貼着してシート１１を封止したものである。
【０００４】
上記ラベルは、ラベルシート部Ｂに貼着されている延設シート１１ｃを切離ミシン目１１ｄを介してラベルシート部Ｂの上面から切り離して開封し、図８（ｂ）に示すように、折り畳まれたシート１１を引き伸ばすことにより、そのシート１１の表裏に表示された商品情報を確認することができる。
【０００５】
以下に、公知の特許文献を記載する。
【特許文献１】特開平１１−２７７６４５号
【特許文献２】実用新案登録第３０２７０８３号
【発明の開示】
【発明が解決しようとする課題】
【０００６】
しかしながら、上記ラベルは、１枚のシートが折り畳まれた構造であるため、開封すると、シート１１を図８（ｂ）に示すように伸ばして拡げなければならない。また、ラベルを一旦開封してシート１１を拡げ、ラベル情報を確認した後には、シート１１が邪魔にならないように元の状態に折り畳む手間が掛かる。
【０００７】
本発明は、各種商品や商品を包装する容器に貼着して使用する多量の商品情報を表示可能な冊子形状のラベルのラベル情報を確認するために、開封した後のラベルシートを伸ばして拡げる手間を省き、またラベル情報を確認した後にラベルを元の状態に折り畳む手間を省け、また各種商品や商品を包装した容器に容易に貼着して使用でき、ラベルには豊富な商品関連情報を掲載、表示することができる冊子形状のラベルを容易に製造できるようにすることにある。
【課題を解決するための手段】
【０００８】
本発明の請求項１に係る発明は、図１（ａ）の製造工程の側面図及び図２（ａ）〜（ｂ）の製造工程の説明図に示すように、
（ａ）長巻状の一条のシート１を巻き出し送行してそれぞれ印刷ユニット２３に導入し、該シート１の片面又は両面に適宜にラベル表示用の印刷を施すシート印刷工程と、
（ｂ）該シート１を第１接着剤塗布手段２５に導入し、該シート１をその幅方向一端部に僅かな幅Ｍの貼着用延設端部１ｃを残して略４等分する送行方向に沿う３本の折目ａ、ｂ
、ｃのうち一端部側の１本の折目ａに沿う僅かな幅領域に、シート送行方向に沿って第１接着剤層３を塗布形成する第１接着剤塗布工程と、
（ｃ）該シート１を第１二つ折り手段２６と押圧対向する１対のニップロール２７間とに導入し、幅方向に該シート１を略４等分する送行方向に沿う３本の折目ａ、ｂ、ｃのうち中央部の１本の折目ｂに相当する二つ折目に沿って該シート１を二つ折りし、その二つ折りした一方の第１シート１ａに、その外端側に単一枚の前記貼着用延設端部１ｃが残るように他方の第２シート１ｂを折り重ね、前記第１、第２シート１ａ、１ｂの内面を、前記第１接着剤層３にて貼り合わせて、貼り合わせシート２８を形成する貼り合わせシート形成工程と、
（ｄ）該貼り合わせシート２８をスリット手段３０に導入し、前記二つ折目ｂ相当部より僅か内側の該シート送行方向のスリットラインｄに沿ってスリットして二つ折目ｂの外側相当部をカッティング除去するスリット工程と、
（ｅ）該貼り合わせシート２８を第２二つ折り手段３４と押圧対向する１対のニップロール３５間とに導入し、前記第１接着剤層３に沿う二つ折目ｂ相当部に沿って二つ折りして長巻状の長巻状冊子状ラベル部Ａを形成する長巻状冊子状ラベル部形成工程と、
図１（ｂ）の製造工程の側面図及び図２（ｃ）〜（ｆ）の製造工程の説明図に示すように、
（ｆ）ラベル基材６、粘着剤層７、セパレータ８からなる長巻状ラベルシート部Ｂを巻き出し送行して第２接着剤塗布手段４１に導入し、前記長巻状冊子状ラベル部Ａの前記第１接着剤層３に沿う二つ折目ｂ相当部と貼着用延設端部１ｃとに重なる前記長巻状ラベルシート部Ｂのラベル基材６面の幅方向両端部にシート送行方向に沿って各々第２接着剤層４、５を塗布形成する第２接着剤塗布工程と、
（ｇ）前記長巻状冊子状ラベル部Ａと前記第２接着剤層４、５を形成した長巻状ラベルシート部Ｂとを送行させながら重ね合わせて貼り合わせ手段３６に導入し、長巻状冊子状ラベル部Ａの前記第１接着剤層３に沿う二つ折目ｂ相当部と前記貼着用延設端部１ｃとを、長巻状ラベルシート部Ｂのラベル基材６面に、前記第２接着剤層４、５にて貼り合わせる長巻状冊子状ラベル部貼り合わせ工程と、
（ｈ）貼り合わされた長巻状冊子状ラベル部Ａと長巻状ラベルシート部Ｂを型抜き手段３７に導入して、長巻状ラベルシート部Ｂの幅方向両側のセパレータ８を残してラベル基材６と粘着剤層７とを送行方向に沿ってラベル形状に型抜きカッティングし、且つ送行方向と直交する送行前後方向に沿って長巻状冊子状ラベル部Ａと長巻状ラベルシート部Ｂのラベル基材６、粘着剤層７を、型抜きカッティングするラベル型抜きカッティング工程と、（ｉ）型抜きカッティングされた長巻状冊子状ラベル部Ａと長巻状ラベルシート部Ｂとを剥離ロール３８に導入し、型抜きカッティングされた余白の長巻状冊子状ラベル部Ａと長巻状ラベルシート部Ｂの余白のラベル基材６、粘着剤層７とを剥離巻取手段３９にて巻き取りながら長尺状セパレータ８面から剥離して該長尺状セパレータ８面に型抜き配列された冊子状ラベルＲを形成するカッティング余白剥離工程と、
（ｊ）前記長尺状セパレータ８を型抜き配列された冊子状ラベルＲととともに巻取手段４２にて巻き取る巻取工程
とを含むことを特徴とする冊子状ラベルの製造方法である。
【０００９】
本発明の請求項２に係る発明は、図３（ａ）の製造工程の側面図及び図４（ａ）〜（ｂ）の製造工程の説明図に示すように、
（ａ）長巻状の一条のシート１を巻き出し送行してそれぞれ印刷ユニット２３に導入し、該シート１の片面又は両面に適宜にラベル表示用の印刷を施すシート印刷工程と、
（ｂ）該シート１をスリット手段３０に導入し、該シート１の幅方向一端部に僅かな幅の貼着用延設端部１ｃを残して略２等分する送行方向に沿う２等分線に相当するスリットラインｂに沿ってスリットして、２条の第１シート１ａ、第２シート１ｂに分割する分割スリット工程と、
（ｃ）該２条の第１シート１ａ、第２シート１ｂのうち一方の第１シート１ａを第１接着
剤塗布手段２５に導入し、該第１シート１ａを前記貼着用延設端部１ｃを残して、略２等分する送行方向に沿う折目ａに沿って第１接着剤層３を塗布形成する第１接着剤塗布工程と、
（ｄ）該２条の第１シート１ａ、第２シート１ｂのうち他方の第２シート１ｂをシート送行変換用ターンバー手段２４に導入し、前記一方の第１シート１ａ上に他方の第２シート１ｂを前記スリットラインｂ相当部を整合させて重ね合わされるようにシート送行を変換させる分割シート送行変換整合工程と、
図３（ｂ）の製造工程の側面図及び図４（ｃ）〜（ｆ）の製造工程の説明図に示すように、
（ｅ）前記第１シート上に他方の第２シートを整合させて重ね合わされるようにシート送行を変換させた前記第１シート１ａ、第２シート１ｂを貼り合わせ手段２７に導入して重ね合わせ、前記第１接着剤層３にて貼り合わせて、貼り合わせシート２８を形成する貼り合わせシート形成工程と、
（ｆ）該貼り合わせシート２８を二つ折り手段３４と押圧対向する１対のニップロール３５間とに導入し、前記第１接着剤層３に沿う二つ折目ａ、ｃ相当部に沿って二つ折りして長巻状の長巻状冊子状ラベル部Ａを形成する長巻状冊子状ラベル部形成工程と、
（ｇ）ラベル基材６、粘着剤層７、セパレータ８からなる長巻状ラベルシート部Ｂを巻き出し送行して第２接着剤塗布手段４１に導入し、前記長巻状冊子状ラベル部Ａの前記第１接着剤層３に沿う二つ折目相当部と貼着用延設端部１ｃとに重なる前記長巻状ラベルシート部Ｂのラベル基材６面の幅方向両端部にシート送行方向に沿って各々第２接着剤層４、５を塗布形成する第２接着剤塗布工程と、
（ｈ）前記長巻状冊子状ラベル部Ａと前記第２接着剤層４、５を形成した長巻状ラベルシート部Ｂとを送行させながら重ね合わせて貼り合わせ手段３６に導入し、長巻状冊子状ラベル部Ａの前記第１接着剤層３に沿う二つ折目ａ、ｃ相当部と前記貼着用延設端部１ｃとを、長巻状ラベルシート部Ｂのラベル基材６面に、前記第２接着剤層４、５にて貼り合わせる長巻状冊子状ラベル部貼り合わせ工程と、
（ｉ）貼り合わされた長巻状冊子状ラベル部Ａと長巻状ラベルシート部Ｂを型抜き手段３７に導入して、長巻状ラベルシート部Ｂの幅方向両側のセパレータ８を残してラベル基材６と粘着剤層７とを送行方向に沿ってラベル形状に型抜きカッティングし、且つ送行方向と直交する送行前後方向に沿って長巻状冊子状ラベル部Ａと長巻状ラベルシート部Ｂのラベル基材６、粘着剤層７を型抜きカッティングするラベル型抜きカッティング工程と、
（ｊ）型抜きカッティングされた長巻状冊子状ラベル部Ａと長巻状ラベルシート部Ｂとを剥離ロール３８に導入し、型抜きカッティングされた余白の長巻状冊子状ラベル部Ａと長巻状ラベルシート部Ｂの余白のラベル基材６、粘着剤層７とを剥離巻取手段３９にて巻き取りながら長尺状セパレータ８面から剥離して長尺状セパレータ８面に型抜き配列された冊子状ラベルＲを形成するカッティング余白剥離工程と、
（ｋ）前記長尺状セパレータ８を型抜き配列された冊子状ラベルＲととともに巻取手段４２にて巻き取る巻取工程
とを含むことを特徴とする冊子状ラベルの製造方法である。
【発明の効果】
【００１０】
本発明の冊子状ラベルの製造方法によれば、ラベルが中綴じ形式の数頁の紙葉からなる冊子状になっているため、従来の１枚のシートを折り畳んだ構造とは異なり、ラベル情報を確認するために、開封した後のラベルシートを伸ばして拡げる手間が省け、またラベル情報を確認した後にラベルを元の状態に折り畳む手間が省け、また各種商品や商品を包装した容器に容易に貼着して使用でき、ラベルには豊富な商品関連情報を掲載、表示することができるとともに、このような冊子状ラベルを、簡潔な製造ラインによって容易に製造することができるようになるものである。
【発明を実施するための最良の形態】
【００１１】
本発明の冊子状ラベルの製造方法の実施の形態の一例を、図１（ａ）〜（ｂ）に示す製造装置の概要側面図、及び図２（ａ）〜（ｆ）に示す製造工程の説明図に基づいて以下に詳細に説明する。
【００１２】
図１（ａ）に示すように、まず、長巻状（長尺状）のシート１（印刷用紙、ラベル用紙）を巻出手段２１より巻き出し送行し、印刷工程（Ｉ）において、シート１を印刷ユニット２３（通常の印刷インキ、紫外線硬化型印刷インキなど各種インキを用いたグラビア印刷、凹版印刷、オフセット印刷、凸版印刷、スクリーン印刷等の各種印刷方式による印刷ユニット）に導入して、シート１の片面又は両面に適宜にラベル表示用の印刷を施す。
【００１３】
続いて、印刷ユニット２３にて印刷されたシート１は、図１（ａ）に示すように、ガイドロール２１ａを通過した後、接着剤塗布工程（ＩＩ）において、ノズル噴射塗布方式又はロール塗布方式による第１接着剤塗布手段２５（例えば、接着剤供給容器２５ａ、供給ロール２５ｂ、塗布ロール２５ｃ、圧ロール２５ｄからなるロール塗布方式）に導入され、図２（ａ）に示すように、該シート１片面（上面）において、そのシート幅方向にシート１を一端部に沿って僅かな幅Ｍの貼着用延設端部１ｃを残して４等分する送行方向に沿う３本の等分線ｂ、ａ、ｃのうち一端部側の１本の等分線ａに沿う所定幅領域にシート送行方向に沿って第１接着剤層３を塗布形成する。
【００１４】
続いて、図１（ａ）に示すように、貼り合わせシート形成工程（ＩＩＩ）では、前記第１接着剤層３を形成した前記シート１を、折りロール２６ａ（又は三角状の折り板）を備えた第１二つ折り手段２６（ホールダー手段）に導入して、図２（ａ）に示すように、該シート１を幅方向に４等分する送行方向に沿う３本の４等分線のうち、中央部の１本の４等分線に相当する二つ折目ｂに沿って該シート１を二つ折りして、図２（ｂ）に示すように、その二つ折りした一方の第１シート１ａを、その外端側に単一枚の前記貼着用延設端部１ｃが残るように、第２シート１ｂ上に折り重ねる。
【００１５】
そして、図１（ａ）に示すように、折り重ねた第１、第２シート１ａ、１ｂからなる前記シート１を押圧対向する１対のニップロール２７間に導入して、前記シート１内面を、前記第１接着剤層３にて貼り合わせて、貼り合わせシート２８を形成するものである。この際に、貼り合わせシート２８は、巻取手段によって巻芯２９にロール状に一旦巻き取って次の工程に移行するようにしてもよいし、ロール状に巻き取らずにそのまま次の工程にシート送行させるようにしてもよい。
【００１６】
続いて、スリット工程（ＩＶ）では、図１（ｂ）に示すように、巻取手段によって巻芯２９にロール状に一旦巻き取った（又はロール状に巻き取らずにそのままシート送行させた）貼り合わせシート２８を、スリット手段３０（圧ロール３０ａ、カッターロール３０ｂ間）に導入し、図２（ｂ）に示すように、前記二つ折目ｂ相当部より僅か内側のシート送行方向に沿うスリットラインｄ（図２（ａ）に示す折目ｂの両側に平行に近接するラインｂ1 、ｂ2 の重なるライン）に沿ってシート送行方向にスリットし、図２（ｃ）に示すように、該シート１のスリットラインｄより外側の二つ折目ｂ側をカッティング除去して、該シート１を第１シート１ａと第２シート１ｂとに分割し、スリットによるカッティング部分はガイドロール３１にてガイドして巻取手段３２により巻き取る。
【００１７】
続いて、長巻状冊子状ラベル部形成工程（Ｖ）では、図１（ｂ）に示すように、貼り合わせ工程にて貼り合わされた貼り合わせシート２８を、折りロール３４ａ（又は三角状の折り板）を備えた第２二つ折り手段３４（ホールダー手段）とニップロール３５に導入して、図２（ｄ）に示すように、一端部側の等分線ａに沿って形成した前記第１接着剤層３に沿う折目ａ相当部に沿って、さらに二つ折りして、長巻状の長巻状冊子状ラベル部Ａを形成する。
【００１８】
続いて、冊子接着用接着剤塗布工程（ＶＩ）では、図１（ｂ）及び図２（ｄ）に示すように、ラベルシート基材６と、その裏面の粘着剤層７と、剥離シート８（セパレータ）とにより構成された長巻状ラベルシート部Ｂを、巻出手段４０より巻き出し送行して、ノズル噴射塗布方式又はロール塗布方式による第２接着剤塗布手段４１（例えば、接着剤塗布ノズル部を備えたノズル噴射塗布方式）に導入し、前記長巻状冊子状ラベル部Ａにおける等分線ａに沿って形成した前記第１接着剤層３に沿う折目ａ相当部と貼着用延設端部１ｃとに重なる前記長巻状ラベルシート部Ｂのラベル基材６面の幅方向両端部に、シート送行方向に沿って、図２（ｄ）に示すように、各々第２接着剤層４、５を塗布形成する。なお、長巻状ラベルシート部Ｂのラベル基材６の表面（上面）には、ラベル情報等の適宜情報や印刷を施すことが可能である。
【００１９】
続いて、長巻状冊子状ラベル部貼り合わせ工程（ＶＩＩ）では、図１（ｂ）、及び図２（ｄ）に示すように、前記長巻状冊子状ラベル部Ａと、前記第２接着剤層４、５を形成した長巻状ラベルシート部Ｂとを送行させながら重ね合わせて貼り合わせ手段３６に導入し、図２（ｄ）に示すように、長巻状冊子状ラベル部Ａの等分線ａに沿って形成した前記第１接着剤層３に沿う折目ａ相当部と貼着用延設端部１ｃとを、前記第２接着剤層４、５を介して長巻状ラベルシート部Ｂのラベル基材６面に貼り合わせる。
【００２０】
続いて、ラベル型抜きカッティング工程（ＶＩＩＩ）では、貼り合わされた長巻状冊子状ラベル部Ａと長巻状ラベルシート部Ｂとを、図１（ｂ）に示すように、ロータリーカッター又はレシプロカッターなど型抜き手段３７に導入し、例えばロータリーカッター手段３７にて、図１（ｂ）及び図２（ｅ）に示すように、長巻状ラベルシート部Ｂの幅方向両側のセパレータ８を残して、ラベル基材６と粘着剤層７とを送行方向に沿ってラベル形状に型抜きカッティング（ハーフカッティング９）するとともに、送行方向と直交する送行前後方向に沿って、長巻状冊子状ラベル部Ａと長巻状ラベルシート部Ｂのラベル基材６、粘着剤層７を型抜きカッティング（ハーフカッティング９）する。また、同時に、前記ロータリーカッター手段３７にて、長巻状冊子状ラベル部Ａの貼着用延設端部１ｃの基部に切り離し（開封）用ミシン目１０を必要に応じて刻切するものである。
【００２１】
続いて、カッティング余白剥離工程（ＩＸ）では、図１（ｂ）及び図２（ｆ）に示すように、型抜きカッティングされた長巻状冊子状ラベル部Ａと長巻状ラベルシート部Ｂとを剥離ロール３８に導入し、型抜きカッティングされた余白の長巻状冊子状ラベル部Ａと長巻状ラベルシート部Ｂの余白のラベル基材６、粘着剤層７とを剥離巻取手段３９にて巻き取りながら、長尺状セパレータ８面から剥離して、図５の平面図に示すように、長尺状セパレータ８面上に多数型抜き配列（多面付け）されて粘着剤層７によって剥離可能に仮貼着された小冊子状の冊子状ラベルＲを形成する。
【００２２】
続いて、最終工程の巻取工程では、図１（ｂ）に示すように、巻取手段４２にて、前記長尺状セパレータ８を、粘着剤層７によって仮貼着されている多数型抜き配列された小冊子状の冊子状ラベルＲととともに巻き取るものである。
【００２３】
☆なお、図１（ａ）に示す上記印刷工程（Ｉ）については、次の工程（ＩＩ）以降の各工程に対して切り離して別の工程ラインにて行うようにしてもよい。また、接着剤塗布工程（ＩＩ）による接着剤の塗布は、貼り合わせシート形成工程（ＩＩＩ）の第１二つ折り手段２６の折りロール２６ａによりシート１を二つ折りしながら、折り重ねる直前に、ノズル方式による接着剤塗布手段によって行うようにしてもよい。
【００２４】
☆また、図１（ｂ）に示す冊子接着用接着剤塗布工程（ＶＩ）の前には、必要に応じて印刷ユニット４３を配置することにより、長巻状ラベルシート部Ｂの表面（ラベルシート
基材６の表面）、又は表裏両面に、必要な文字情報や、絵柄、彩色などの印刷を施すようにしてもよい。
【００２５】
このように、本発明の製造方法は、図２（ａ）〜（ｃ）に示すように、１枚のシート１を中央部の二つ折目ｂに沿って折り重ねた二つ折りシート１の第１シート１ａと第２シート１ｂの重ね合わせ内面を、その中央部の折目ａに沿って形成した第１接着剤層３にて貼り合わせ、二つ折目ｂ側をスリットラインｄに沿ってスリットしてカッティング除去することにより形成された第１シート１ａと第２シート１ｂからなる貼り合わせシート２８により形成され、図２（ｄ）に示すように、その第１接着剤層３に沿う折目ａにて、さらに二つ折りして４ページの小冊子状に形成された長尺状の冊子状ラベルＡを、該冊子状ラベルＡを貼着保持するラベル基材６、粘着剤層７、セパレータ８からなる長尺状ラベルシート部Ｂに貼着し、その後に、長尺状の冊子状ラベルＡをハーフカッティングする。
【００２６】
これによって、図５に示すように、長尺状セパレータ８面上に多数型抜き配列（多面付け）されて、粘着剤層７によって剥離可能に仮貼着された小冊子状の冊子状ラベルＲが形成される。
【００２７】
本発明の冊子状ラベルの製造方法の実施の形態の他の例を、図３（ａ）〜（ｂ）に示す製造装置の概要側面図、及び図４（ａ）〜（ｆ）に示す製造工程の説明図に基づいて以下に詳細に説明する。
【００２８】
図３（ａ）に示すように、まず、長巻状（長尺状）のシート１（印刷用紙、ラベル用紙）を巻出手段２１より巻き出し送行し、印刷工程（Ｉ）において、シート１を印刷ユニット２３（通常の印刷インキ、紫外線硬化型印刷インキなど各種インキを用いたグラビア印刷、凹版印刷、オフセット印刷、凸版印刷、スクリーン印刷等の各種印刷方式による印刷ユニット）に導入して、シート１の片面又は両面に適宜にラベル表示用の印刷を施す。
【００２９】
続いて、印刷ユニット２３にて印刷されたシート１は、図３（ａ）に示すように、分割スリット工程（ＩＩ）においてスリット手段３０に導入され、図４（ａ）に示すように、該シート１の幅方向一端部に沿って僅かな幅Ｍの貼着用延設端部１ｃを残して、略２等分する送行方向に沿う２等分線に相当するスリットラインｂに沿って、ロータリースリット刃３０ｂとロータリー受け刃３１ａにてスリットして２条の第１シート１ａ、第２シート１ｂに分割する。
【００３０】
続いて、図３（ａ）、及び図４（ａ）〜（ｂ）に示すように、第１接着剤塗布工程（ＩＩＩ）において、該２条の第１シート１ａ、第２シート１ｂのうち一方の第１シート１ａは、ロール塗布方式又はノズル噴射塗布方式による第１接着剤塗布手段２５に導入され、該第１シート１ａを前記貼着用延設端部１ｃを残して略２等分する送行方向に沿う折目ａに沿って、第１接着剤層３が塗布形成される。なお、図４（ａ）に示すシート１のそれぞれ折目ａ、スリットラインｂ、折目ｃは、該シート１の幅方向一端部に沿って僅かな幅Ｍの貼着用延設端部１ｃを残してシート１を４等分する等分線に相当するものである。
【００３１】
一方、前記２条の第１シート１ａ、第２シート１ｂのうち他方の第２シート１ｂは、図３（ａ）に示すように、分割シート送行変換整合工程（ＩＶ）において、シート送行変換用ターンバー手段２４に導入され、図４（ｂ）に示すように、一方の第１シート１ａの真上に他方の第２シート１ｂがシート送行方向を方向変換されて、互いに第１、第２シート１ａ、１ｂが前記スリットラインｂ相当部を整合して重ね合わせられてシート送行するように送行変換される。
【００３２】
前記シート送行変換用ターンバー手段２４は、第１ターンバー２４ａと第２ターンバー
２４ｂからなり、前段のスリット手段３０を通過後のそれぞれ第１、第２シート１ａ、１ｂの真上に、シート送行方向（基準送行方向０°）に対して４５°の角度に互いに平行に配置されており、前段のスリット手段３０を通過直後の第１、第２シート１ａ、１ｂの送行方向（基準送行方向０°）に対して、第２シート１ｂ真上の第１ターンバー２４ａは、第２シート１ｂのシート送行方向を＋９０°だけ方向変換させ、さらに第１シート１ａ真上の第２ターンバー２４ｂは、前記第２シート１ｂのシート送行方向を、さらに−９０°だけ方向変換させることにより、第２シート１ｂを第１シート１ａ真上に整合させてシート送行を変換させる。
【００３３】
続いて、図３（ｂ）及び図４（ｂ）〜（ｃ）に示すように、重ね合わせられるように整合してシート送行する第１、第２シート１ａ、１ｂは、貼り合わせシート形成工程（Ｖ）において、貼り合わせ手段２７に導入されて重ね合わせられ、第１シート１ａ上に塗布形成した前記第１接着剤層３にて互いに貼り合わせられて貼り合わせシート２８が形成される。
【００３４】
なお、図３（ａ）に示す上記第１接着剤塗布手段２５による第１シート１ａに対する第１接着剤層３の塗布形成は、上記分割シート送行変換整合工程（ＩＶ）における第１、第２シート１ａ、１ｂのシート送行方向の整合途中又は整合後に行うようにしてもよい。
【００３５】
続いて、前記貼り合わせシート２８は、図３（ｂ）に示すように、長巻状冊子状ラベル部形成工程（ＶＩ）において、二つ折り手段３４と押圧対向する１対のニップロール３５間とに導入され、図４（ｄ）に示すように、前記第１接着剤層３に沿う二つ折目ａ、ｃ相当部に沿って二つ折りされて、長巻状の長巻状冊子状ラベル部Ａが形成される。
【００３６】
続いて、図３（ｂ）、及び図４（ｄ）に示すように、第２接着剤塗布工程（ＶＩＩ）において、長巻状の長巻状冊子状ラベル部Ａの下方より、ラベル基材６、粘着剤層７、セパレータ８からなる長巻状ラベルシート部Ｂが巻き出し送行されて、ノズル噴射塗布方式又はロール塗布方式による第２接着剤塗布手段４１に導入され、前記長巻状冊子状ラベル部Ａの前記第１接着剤層３に沿う二つ折目ａ、ｃ相当部と貼着用延設端部１ｃとに重なる前記長巻状ラベルシート部Ｂのラベル基材６面の幅方向両端部に、シート送行方向に沿って各々第２接着剤層４、５が塗布形成される。
【００３７】
続いて、図３（ｂ）、及び図４（ｅ）に示すように、長巻状冊子状ラベル部貼り合わせ工程（ＶＩＩＩ）において、前記長巻状冊子状ラベル部Ａと、前記第２接着剤層４、５を形成した長巻状ラベルシート部Ｂとは、送行しながら貼り合わせ手段３６に導入されて重ね合わせられ、長巻状冊子状ラベル部Ａの前記第１接着剤層３に沿う二つ折目ａ、ｃ相当部と、前記貼着用延設端部１ｃが、長巻状ラベルシート部Ｂのラベル基材６面に、前記第２接着剤層４、５にて貼り合わせられる。
【００３８】
続いて、ラベル型抜きカッティング工程（ＩＸ）において、図３（ｂ）、及び図４（ｅ）に示すように、貼り合わされた長巻状冊子状ラベル部Ａと長巻状ラベルシート部Ｂとは、ロータリーカッター又はレシプロカッターなど型抜き手段３７に導入され、図４（ｅ）に示すように、長巻状ラベルシート部Ｂの幅方向両側のセパレータ８を残して、ラベル基材６と粘着剤層７とが送行方向に沿ってラベル形状に型抜きカッティングされ、且つ送行方向と直交する送行前後方向に沿って長巻状冊子状ラベル部Ａと長巻状ラベルシート部Ｂのラベル基材６、粘着剤層７が型抜きカッティングされる。
【００３９】
続いて、カッティング余白剥離工程（Ｘ）において、図３（ｂ）、及び図４（ｆ）に示すように、型抜きカッティングされた長巻状冊子状ラベル部Ａと長巻状ラベルシート部Ｂとが剥離ロール３８に導入され、型抜きカッティングされた余白の長巻状冊子状ラベル部
Ａと長巻状ラベルシート部Ｂの余白のラベル基材６、粘着剤層７とが剥離巻取手段３９にて巻き取られながら、長尺状セパレータ８面から剥離して、長尺状セパレータ８面に型抜き配列された冊子状ラベルＲが形成される。
【００４０】
続いて、最終の巻取工程において、巻取手段４２にて、前記長尺状セパレータ８が、型抜き配列された冊子状ラベルＲととともに巻き取られるものである。
【００４１】
☆なお、図３（ａ）に示す上記印刷工程（Ｉ）については、次の工程（ＩＩ）以降の各工程に対して切り離して別の工程ラインにて行うようにしてもよい。また、図３（ｂ）に示す第２接着剤塗布工程（ＶＩＩ）の前には、必要に応じて印刷ユニット４３を配置することにより、長巻状ラベルシート部Ｂの表面（ラベルシート基材６の表面）、又は表裏両面に、必要な文字情報や、絵柄、彩色などの印刷を施すようにしてもよい。
【００４２】
このように、本発明の製造方法は、図４（ａ）〜（ｃ）に示すように、１枚のシート１を中央部のスリットラインｂに沿ってスリットして分割し、第１シート１ａ、第２シート１ｂを形成して、一方の第１シート１ａの二つ折目ａに沿って塗布形成した第１接着剤層３にて貼り合わせた第１シート１ａと第２シート１ｂから形成され、図４（ｄ）に示すように、その第１接着剤層３（二つ折目ａ、ｃ）に沿って、二つ折りして４ページの小冊子状に形成された長尺状の冊子状ラベルＡを、該冊子状ラベルＡを貼着保持するラベル基材６、粘着剤層７、セパレータ８からなる長尺状ラベルシート部Ｂに貼着し、その後に、長尺状の冊子状ラベルＡをハーフカッティングするものである。
【００４３】
これによって、図５に示すように、長尺状セパレータ８面上に多数型抜き配列（多面付け）されて、粘着剤層７によって剥離可能に仮貼着された小冊子状の冊子状ラベルＲが形成される。
【００４４】
図６（ａ）〜（ｂ）は、本発明の製造方法により得られた小冊子状の冊子状ラベルＲの側断面図であって、（ａ）に示すように、二つ折り内側の第１シート１ａと、該二つ折り内側の第１シート１ａ外側に二つ折り外側の第２シート１ｂとを重なる折目に沿って第１接着剤３にて綴じ付けし、前記二つ折り外側の第２シート１ｂの最上面側シートの見開き端部には、前述した貼着用延設端部１ｃによる延設シート部１ｄが形成されている。
【００４５】
前記冊子状ラベルＲは、二つ折り外側の第２シート１ｂの最下面側シートの前記折目
ｂ（第１接着剤３）側の端部が、接着剤層４を介して前記ラベルシート部Ｂ（ラベルシート基材６）の上面に貼着されていて、冊子状ラベルＲの前記貼着用延設端部１ｃにより形成される前記延設シート部１ｄの端部１ｅが、接着剤層５を介して前記ラベルシート部Ｂ（ラベルシート基材６）の上面に貼着されており、図６（ａ）に示すように、冊子状ラベル部Ａの第１シート１ａ及び第２シート１ｂの最下面側シートは、第２シート１ｂの最上面側シートと、貼着用延設端部１ｃにより形成される延設シート部１ｄ及び貼着端部１ｅとによって封止しているものである。
【００４６】
このようにして製造された本発明の冊子状ラベルは、図６（ａ）に示すように貼着用延設端部１ｃにより形成される延設シート部１ｄと貼着端部１ｅのうち、貼着端部１ｅをラベル基材６面から切り破り又は剥離し、又は必要に応じて設けた切り離し用ミシン目１０を介して切り離し、図６（ｂ）に示すように、冊子状ラベル部Ａを開封して、その第１シート１ａ、第２シート１ｂの各シート面に印刷表示されているラベル情報を確認することができる。
【００４７】
本発明の製造方法により製造される前記冊子状ラベルＲの延設シート部１ｄ及びその外端部の貼着端部１ｅは、前述した貼着用延設端部１ｃにより形成されるものであるが、ラ
ベルシート部Ｂの上面に接着剤層５を介して貼着されていて、冊子状ラベル部Ａが封止されているものである。
【００４８】
上記冊子状ラベルＲにおいては、前記延設シート部１ｄ外端部の貼着端部１ｅは、ラベルシート部Ｂ上面に、剥離不能な接着剤層５、又は剥離可能な接着剤層５を介して貼着されていてもよいし、又は剥離開封後に再接着が可能な接着剤層５を介して貼着されていてもよい。
【００４９】
☆なお、本発明の製造方法の他の実施の形態として、上記図３（ａ）及び図４（ａ）に示す上記製造方法における分割スリット工程において、例えば、図３（ａ）及び図７（ａ）に示すように長巻状シート１を、１乃至複数のスリットラインｓに沿って、１乃至複数のスリット手段３０を用いて、２等分又は３等分などｎ等分に分割して、長巻状シート（１−１）、（１−２）、・・・シート（１−ｎ）を作成する。
【００５０】
そして、分割した各々長巻状シート（１−１）、（  １−２）、・・・シート（１−ｎ）を、図７（ｂ）に示すようにそれぞれスリット手段３０に導入して、各々長巻状シート（１−１）、（１−２）、・・・シート（１−ｎ）の幅方向一端部に僅かな幅の貼着用延設端部１ｃを残して、略２等分する送行方向に沿う２等分線に相当する各々スリットラインｂに沿ってスリットし、それぞれ長巻状シート（１−１）、（１−２）、・・・シート（１−ｎ）を、２条の第１シート１ａ、第２シート１ｂに分割する分割スリット工程とすることができる。
【００５１】
そして、図７（ｃ）〜（ｆ）に示すように、それぞれ長巻状シート（１−１）、（１−２）、・・・シート（１−ｎ）から得られた各々２条の第１シート１ａ、第２シート１ｂを用いて、２条、３条乃至ｎ条の複数条の貼り合わせシート２８、及び２条、３条乃至ｎ条の複数条の長尺状セパレータ８面に型抜き配列された冊子状ラベルＲ、及び巻取手段４２にて複数条の前記長尺状セパレータ８に巻き取られた冊子状ラベルＲを得るようにしてもよい。
【図面の簡単な説明】
【００５２】
【図１】（ａ）〜（ｂ）は、本発明の冊子状ラベルの製造工程の一例を説明する装置の概要側面図。
【図２】本発明の冊子状ラベルの製造工程の一例を説明する説明図であり、（ａ）は第１接着剤層塗布工程の斜視図、（ｂ）は二つ折り工程及びスリット工程の斜視図、（ｃ）はスリットされた貼り合わせシートの正面断面図、（ｄ）は貼り合わせシートを折り曲げて冊子状ラベルシート部Ａを作製する工程及び冊子状ラベル部Ａとラベルシート部Ｂとを貼り合わせる工程の正面断面図、（ｅ）はハーフカット工程の正面断面図、（ｆ）は剥離工程の正面断面図。
【図３】（ａ）〜（ｂ）は、本発明の冊子状ラベルの製造工程の他の例を説明する装置の概要側面図。
【図４】本発明の冊子状ラベルの製造工程の他の例を説明する説明図であり、（ａ）は分割スリット工程及び第１接着剤層塗布工程の斜視図、（ｂ）は分割シート送行変換整合工程の斜視図、（ｃ）は貼り合わせシートの正面断面図、（ｄ）は貼り合わせシートを折り曲げて冊子状ラベルシート部Ａを作製する工程及び冊子状ラベル部Ａとラベルシート部Ｂとを貼り合わせる工程の正面断面図、（ｅ）はハーフカット工程の正面断面図、（ｆ）は剥離工程の正面断面図。
【図５】本発明の冊子状ラベルの製造方法により得られた長尺状セパレータに配列された複数の冊子状ラベルの平面図。
【図６】（ａ）〜（ｂ）は本発明の冊子状ラベルの製造方法により得られた冊子状ラベルの一例を説明する側断面図。
【図７】本発明の冊子状ラベルの製造工程のその他の例を説明する説明図であり、（ａ）はシート分割スリット工程の斜視図、（ｂ）は分割スリット工程及び第１接着剤層塗布工程の斜視図、（ｃ）は分割シート送行変換整合工程の斜視図、（ｄ）は貼り合わせシートの正面断面図、（ｅ）は貼り合わせシートを折り曲げて冊子状ラベルシート部Ａを作製する工程及び冊子状ラベル部Ａとラベルシート部Ｂとを貼り合わせる工程の正面断面図、（ｆ）はハーフカット工程の正面断面図、（ｇ）は剥離工程の正面断面図。
【図８】（ａ）〜（ｂ）は従来のラベル形態を説明する側面図。
【符号の説明】
【００５３】
Ａ…長巻状冊子状ラベル部  Ｂ…長巻状ラベルシート部  Ｒ…冊子状ラベル
ａ、ｂ、ｃ…折目  ｄ…スリットライン
１…シート  １ａ…第１シート  １ｂ…第２シート  １ｃ…貼着用延設端部
１ｄ…延設シート部  １ｅ…貼着端部
３…第１接着剤層  ４、５…第２接着剤層  ６…ラベル基材層  ７…粘着剤層
８…セパレータ  ９…ハーフカット  １０…ミシン目
２１…巻出手段  ２３…印刷ユニット  ２４…ターンバー手段
２５…第１接着剤塗布手段  ２６…第１二つ折り手段  ２７…貼り合わせ手段
２８…貼り合わせシート  ２９…巻芯  ３０…スリット手段  ３１…ガイドロール
３２…巻取手段  ３４…第２二つ折り手段  ３５…ニップロール
３６…貼り合わせ手段  ３７…型抜き手段  ３８…剥離ロール３８  ３９…剥離巻取手段４１…第２接着剤塗布手段  ４２…巻取手段
【図１】
2005280115.tif 000003
【図２】
2005280115.tif 000004
【図３】
2005280115.tif 000005
【図４】
2005280115.tif 000006
【図５】
2005280115.tif 000007
【図６】
2005280115.tif 000008
【図７】
2005280115.tif 000009
【図８】
2005280115.tif 000010